(57)【要約】【課題】【解決手段】カメラモジュールの一実施例は、レンズ部と、前記レンズ部を収容するフロントボディー（ｆｒｏｎｔ  ｂｏｄｙ）と、前記フロントボディーと結合されるリアボディー（ｒｅａｒ  ｂｏｄｙ）と、前記リアボディーの内部に収容され、複数のプリント基板を含む基板部と、前記基板部と電気的に連結されるケーブルと、前記ケーブルと前記基板部を連結するコネクター部と、導電性素材から構成され、前記コネクター部の後方に配置され、前記基板部又は外部で発生する電磁気ノイズを遮蔽する第１遮蔽部とを含むことができる。【選択図】  図１
2020500450.tif 000002
【特許請求の範囲】
【請求項１】
レンズ部と、
前記レンズ部を収容するフロントボディー（ｆｒｏｎｔ  ｂｏｄｙ）と、
前記フロントボディーと結合されるリアボディー（ｒｅａｒ  ｂｏｄｙ）と、
前記リアボディーの内部に収容され、複数のプリント基板を含む基板部と、
前記基板部と電気的に連結されるケーブルと、
前記ケーブルと前記基板部を連結するコネクター部と、
導電性素材から構成され、前記コネクター部の後方に配置され、前記基板部又は外部で発生する電磁気ノイズを遮蔽する第１遮蔽部と、
を含む、カメラモジュール。
【請求項２】
前記コネクター部は、
前記基板部と結合される第１コネクターと、
一側が前記第１コネクターと結合され、他側に前記第１遮蔽部が結合される第２コネクターと、
を含む、請求項１に記載のカメラモジュール。
【請求項３】
前記第１遮蔽部はリング形に形成され、前記ケーブルの外周面を取り囲むように構成される、請求項１に記載のカメラモジュール。
【請求項４】
前記リアボディーは導電性素材から構成され、前記第１遮蔽部は前記リアボディーと電気的に連結される、請求項１に記載のカメラモジュール。
【請求項５】
前記リアボディーと結合され、前記ケーブルが貫通するホルダーと、
導電性素材から構成され、前記リアボディーと前記ホルダーの間に配置され、前記基板部又は外部で発生する電磁気ノイズを遮蔽する第２遮蔽部とをさらに含む、請求項１に記載のカメラモジュール。
【請求項６】
前記リアボディーは前記ケーブルが貫通する第１突出部が形成され、
前記ホルダーは前記第１突出部に結合され、
前記第２遮蔽部は前記第１突出部と前記ホルダーの間に配置される、請求項５に記載のカメラモジュール。
【請求項７】
前記第２遮蔽部は前記第１突出部に形成される装着溝に配置される、請求項６に記載のカメラモジュール。
【請求項８】
前記基板部は、
前記レンズ部と向き合うように配置される第１基板と、
前記第１基板から光軸方向に離隔して配置される第３基板と、前記第１基板と前記第３基板の間に、前記第１基板と前記第３基板からそれぞれ離隔するように配置される第２基板と、
を含む、請求項１に記載のカメラモジュール。
【請求項９】
前記基板部を取り囲むように構成されるシールド部材をさらに含む、請求項１に記載のカメラモジュール。
【請求項１０】
レンズ部と、
前記レンズ部を収容するフロントボディーと、
前記フロントボディーと結合されるリアボディーと、
前記リアボディーの内部に収容され、複数のプリント基板を含む基板部と、
前記基板部を取り囲むように構成されるシールド部材と、
前記基板部と電気的に連結されるケーブルと、
前記ケーブルと前記基板部を連結するコネクター部と、
導電性素材から構成され、前記コネクター部の後方に配置され、前記基板部又は外部で発生する電磁気ノイズを遮蔽する第１遮蔽部と、
前記リアボディーと結合され、前記ケーブルが貫通するホルダーと、
導電性素材から構成され、前記リアボディーと前記ホルダーの間に配置され、前記基板部又は外部で発生する電磁気ノイズを遮蔽する第２遮蔽部と、
を含み、
前記リアボディーは導電性素材から構成され、前記第１遮蔽部と前記第２遮蔽部は前記リアボディーと電気的に連結される、カメラモジュール。
【発明の詳細な説明】
【技術分野】
【０００１】
実施例は、電磁適合性（ＥｌｅｃｔｒｏＭａｇｎｅｔｉｃ  Ｃｏｍｐａｔｉｂｉｌｉｔｙ、ＥＭＣ）を向上させることができる構造を有するカメラモジュールに関する。
【背景技術】
【０００２】
この部分に記述された内容は単に実施例についての背景情報を提供するだけで従来技術を構成するものではない。
【０００３】
自動車にはさまざまな用途のカメラモジュールが装着されることができる。例えば、自動車をパーキングする場合、後方の視野を確保することができるカメラモジュールが自動車の後方部に装着されることができる。
【０００４】
また、近年になって、交通事故が発生した場合、事故経緯、事故原因などを追跡するのに非常に有用に使われる自動車用ブラックボックスの場合にもカメラモジュールが使われることができる。また、自動車の運転者又は搭乗客が肉眼で確認しにくい死角地帯の状況を明確で容易に把握するための認識装置としてカメラモジュールが使われる場合も徐々に増加する趨勢にある。
【０００５】
近年には、いわゆるスマートカー、すなわち自動車の走行時に前後方の衝突可能性を予め探知し、これに備えるようにする衝突警告システム、自動車に搭載される制御装置によって走行する自動車間の衝突を運転者の運転によらず前記制御装置が直接回避することができる衝突回避システムなどが装着される自動車の製作が増加しており、関連技術の開発が増加している趨勢である。
【０００６】
このようなスマートカーの外部状況認識手段としてカメラモジュールの使用が増加しており、これによって自動車用カメラモジュールの生産と技術開発も増加している趨勢である。
【発明の概要】
【発明が解決しようとする課題】
【０００７】
実施例は、電磁適合性（ＥｌｅｃｔｒｏＭａｇｎｅｔｉｃ  Ｃｏｍｐａｔｉｂｉｌｉｔｙ、ＥＭＣ）を向上させることができる構造を有するカメラモジュールに関する。
【０００８】
実施例が達成しようとする技術的課題は以上で言及した技術的課題に制限されず、言及しなかった他の技術的課題は下記の記載から実施例が属する技術分野で通常の知識を有する者に明らかに理解可能であろう。
【課題を解決するための手段】
【０００９】
カメラモジュールの一実施例は、レンズ部と、前記レンズ部を収容するフロントボディー（ｆｒｏｎｔ  ｂｏｄｙ）と、前記フロントボディーと結合されるリアボディー（ｒｅａｒ  ｂｏｄｙ）と、前記リアボディーの内部に収容され、複数のプリント基板を含む基板部と、前記基板部と電気的に連結されるケーブルと、前記ケーブルと前記基板部を連結するコネクター部と、導電性素材から構成され、前記コネクター部の後方に配置され、前記基板部又は外部で発生する電磁気ノイズを遮蔽する第１遮蔽部とを含むことができる。
【００１０】
カメラモジュールの他の実施例は、レンズ部と、前記レンズ部を収容するフロントボディーと、前記フロントボディーと結合されるリアボディーと、前記リアボディーの内部に収容され、複数のプリント基板を含む基板部と、前記基板部を取り囲むように構成されるシールド部材と、前記基板部と電気的に連結されるケーブルと、前記ケーブルと前記基板部を連結するコネクター部と、導電性素材から構成され、前記コネクター部の後方に配置され、前記基板部又は外部で発生する電磁気ノイズを遮蔽する第１遮蔽部と、前記リアボディーと結合され、前記ケーブルが貫通するホルダーと、導電性素材から構成され、前記リアボディーと前記ホルダーの間に配置され、前記基板部又は外部で発生する電磁気ノイズを遮蔽する第２遮蔽部とを含み、前記リアボディーは導電性素材から構成され、前記第１遮蔽部と前記第２遮蔽部は前記リアボディーと電気的に連結されることができる。
【発明の効果】
【００１１】
実施例において、ケーブルが配置される部位に近くに第１遮蔽部と第２遮蔽部を配置することにより、ケーブルが配置される部位を介して伝播される電磁気ノイズを効果的に遮蔽してカメラモジュール又はカメラモジュール周辺の電子機器の電磁適合性を効果的に向上させることができる。
【図面の簡単な説明】
【００１２】
【図１】一実施例によるカメラモジュールを示した斜視図である。
【図２】図１のリアボディーを除去した図である。
【図３】図２の側面図である。
【図４】一実施例によるカメラモジュールを示した側面断面図である。
【図５】図４のＡ部の拡大図である。
【図６】一実施例による基板部を示した図である。
【図７】図６のシールド部材を除去した図である。
【図８】図７の背面斜視図である。
【発明を実施するための形態】
【００１３】
以下、添付図面に基づいて実施例を詳細に説明する。実施例は多様に変更することができ、さまざまな形態を有することができるが、特定の実施例を図面に例示して本文に詳細に説明しようとする。しかし、これは実施例を特定の開示形態に限定しようとするものではなく、実施例による思想及び技術範囲に含まれる全ての変更、均等物乃至代替物を含むものと理解されなければならない。  
【００１４】
“第１”、“第２”などの用語は多様な構成要素を説明するのに使えるが、前記構成要素は前記用語によって限定されてはいけない。前記用語は一構成要素を他の構成要素と区別する目的のみで使われる。また、実施例による構成及び作用を考慮して特別に定義された用語は実施例を説明するためのものであるだけ、実施例による範囲を限定するものではない。
【００１５】
実施例による説明において、各要素（ｅｌｅｍｅｎｔ）の“上又は下（ｏｎ ｏｒ ｕｎｄｅｒ）”に形成されるものとして記載される場合、上又は下（ｏｎ ｏｒ ｕｎｄｅｒ）は二つの要素（ｅｌｅｍｅｎｔ）が互いに直接（ｄｉｒｅｃｔｌｙ）接触するかあるいは一つ以上の他の要素（ｅｌｅｍｅｎｔ）が前記二つの要素（ｅｌｅｍｅｎｔ）の間に配置されて（ｉｎｄｉｒｅｃｔｌｙ）形成されるものを全て含む。また“上又は下（ｏｎ ｏｒ ｕｎｄｅｒ）”と表現される場合、一つの要素（ｅｌｅｍｅｎｔ）を基準に上方のみではなく下方の意味も含むことができる。
【００１６】
また、以下で使われる“上／上部／上の”及び“下／下部／下の”などの関係的用語は、そのような実体又は要素間のある物理的又は論理的関係又は手順を必ずしも要求するか内包しなく、ある一つの実体又は要素を他の実体又は要素と区別するために用いることもできる。
【００１７】
また、図面には直交座標系（ｘ、ｙ、ｚ）を使うことができる。図面で、ｘ軸及びｙ軸は光軸に対して垂直な平面を意味するものであり、便宜上、光軸方向（ｚ軸方向）は第１方向、ｘ軸方向は第２方向、ｙ軸方向は第３方向と指称することができる。
【００１８】
図１は一実施例によるカメラモジュールを示した斜視図である。図２は図１のリアボディー３００を除去した図である。図３は図２の側面図である。
【００１９】
実施例によるカメラモジュールは、レンズ部１００、フロントボディー（ｆｒｏｎｔ  ｂｏｄｙ）２００、リアボディー（ｒｅａｒ  ｂｏｄｙ）３００、基板部４００（図４参照）、ケーブル５００、第１遮蔽部７００、ホルダー８００、第２遮蔽部９００及びシールド部材１０００を含むことができる。
【００２０】
レンズ部１００は外部の光が入射する部位であり、少なくとも一つのレンズが装着されるレンズバレル１０（図４参照）を含むことができる。ここで、レンズバレル１０は単品のレンズから構成されることもできるが、複数のレンズが光軸方向、すなわち第１方向に整列される形態に構成されることもできる。他の実施例として、レンズバレルなしに単一レンズ又は複数のレンズがフロントボディー２００に直接結合されることもできる。
【００２１】
また、レンズ部１００はフロントボディー２００とネジ結合、形状嵌合又は締まりばめなどの方法で結合されることができるので、レンズ部１００とフロントボディー２００の結合部位の隙間に、水分、ほこりその他の異物がカメラモジュールの内部に流入することを遮断するためのシーリング部材（図４参照）を備えることもできる。
【００２２】
レンズ部１００をフロントボディー２００に安定的に結合するために、例えば図１に示したように、レンズ部１００をフロントボディー２００に締結する締結部材１１０を備えることもできる。締結部材１１０は中空を有し、前記中空にレンズ部１００が装着され、また締結部材１１０をフロントボディー２００にネジ結合、接着剤による結合方式などで結合することによってレンズ部１００をフロントボディー２００に結合することができる。
【００２３】
フロントボディー２００は前記レンズ部１００を内部空間に収容する中空型に構成されることができる。フロントボディー２００の前方部には前記レンズ部１００が装着されることができる。このために、フロントボディー２００には前記レンズ部１００が装着される中空が形成されることができる。
【００２４】
前記フロントボディー２００はリアボディー３００と結合されることができる。フロントボディー２００とリアボディー３００の結合は、例えば結合器具によってなされることができる。このために、図１に示したように、前記フロントボディー２００の角部には結合器具が挿入される通孔が形成されることができる。
【００２５】
また、前記結合器具が配置される空間を確保するために、図１に示したように、前記リアボディー３００の角部、すなわち前記結合器具が配置される部位には逃避部が形成されることができる。
【００２６】
また、前記リアボディー３００に逃避部が形成されることにより、前記リアボディー３００に収容される基板部４００は、図２に示したように、前記リアボディー３００の逃避部に対応する部位に逃避部が形成されることができる。
【００２７】
ただ、これは一実施例に過ぎず、他の実施例として結合器具を使わず、フロントボディー２００とハウジングを接着、形状嵌合、締まりばめ方式で結合することもできる。
【００２８】
リアボディー３００は前記フロントボディー２００と結合し、前記基板部４００を収容することができる。よって、前記リアボディー３００は前記基板部４００を収容するための内部空間が形成されることができる。
【００２９】
また、前記リアボディー３００はケーブル５００が貫通する通路の役割をし、ホルダー８００が結合する第１突出部３１０（図４参照）が後方に形成されることができる。リアボディー３００の具体的な構造は図４などを参照して以下で具体的に説明する。
【００３０】
基板部４００は前記リアボディー３００の内部に収容され、複数のプリント基板を含むことができる。基板部４００は、図１に示したように、光軸方向に前記レンズ部１００から離隔して配置されることができる。
【００３１】
前記基板部４００は、前記レンズ部１００を通過した光が入射し、入射する光をイメージに変換するイメージセンサー４１１（図６参照）などを含むことができる。前記基板部４００の具体的な構造は図４などを参照して具体的に説明する。
【００３２】
ケーブル５００は前記基板部４００と電気的に連結され、外部電源から前記基板部４００に電力を供給する通路の役割をすることができる。また、基板部４００は前記ケーブル５００を介して外部装置と電気的信号をやり取りすることができる。
【００３３】
前記ケーブル５００は複数本の導線が保護層で包まれている形態のものであってもよい。前記ケーブル５００はコネクター部６００を介して前記基板部４００と連結されることができる。
【００３４】
コネクター部６００は前記ケーブル５００と前記基板部４００を連結する役割をし、図３に示したように、第１コネクター６１０と第２コネクター６２０を含むことができる。
【００３５】
第１コネクター６１０は前記基板部４００と直接結合され、第２コネクター６２０は前記第１コネクター６１０とケーブル５００を電気的に連結する役割をすることができる。すなわち、前記第２コネクター６２０は一側が前記第１コネクター６１０と結合され、他側に前記第１遮蔽部７００が結合されることにより、第１コネクター６１０とケーブル５００を連結することができる。
【００３６】
図４を参照すると、第１コネクター６１０は、例えば基板部４００のうち最後方に配置される第３基板４３０と結合され、第２コネクター６２０は前記第１コネクター６１０と結合され、前記ケーブル５００は第２コネクター６２０と結合されることができる。このような構造によって基板部４００とケーブル５００は互いに電気的に連結されることができる。
【００３７】
第１遮蔽部７００は、図２及び図３に示したように、導電性素材から構成され前記コネクター部６００の後方に配置され、前記基板部４００又は外部で発生する電磁気ノイズを遮蔽する役割をすることができる。第１遮蔽部７００については図４などを参照して以下で具体的に説明する。
【００３８】
ホルダー８００は前記リアボディー３００と結合され、前記ケーブル５００が貫通することができる。前記ホルダー８００はリアボディー３００の第１突出部３１０に結合され、前記ケーブル５００を支持する役割をすることができ、さらに以下で説明する第２遮蔽部９００を支持する役割をすることもできる。前記ホルダー８００は前記第１突出部３１０に接着剤などによって結合されることができる。
【００３９】
第２遮蔽部９００は導電性素材から構成され、前記リアボディー３００と前記ホルダー８００の間に配置され、前記第１遮蔽部７００とともに、前記基板部４００又は外部で発生する電磁気ノイズを遮蔽する役割をすることができる。第２遮蔽部９００については図４などを参照して以下で具体的に説明する。
【００４０】
シールド部材１０００は、図２に示したように、前記基板部４００を取り囲むように構成されることができる。前記シールド部材１０００は、前記基板部４００が前記リアボディー３００の内壁にぶつかって破損されることを防止する役割をすることができる。
【００４１】
また、前記シールド部材１０００は金属などの導電性素材から構成され、前記第１遮蔽部７００及び前記第２遮蔽部９００とともに、前記基板部４００又は外部で発生する電磁気ノイズを遮蔽する役割をすることができる。
【００４２】
すなわち、前記シールド部材１０００は、前記基板部４００で発生する電磁気ノイズがカメラモジュールの外部に伝播されることを遮断するか、反対にカメラモジュールの外部で発生するノイズが前記基板部４００に伝播されることを遮断することができる。
【００４３】
図４は一実施例によるカメラモジュールを示した側面断面図である。図５は図４のＡ部の拡大図である。
【００４４】
基板部４００に電力が供給され、基板部４００に備えられたイメージセンサー４１１その他の素子が作動すれば、基板部４００に備えられた各素子から電磁気ノイズが発生することがある。
【００４５】
基板部４００で発生するノイズが電磁波の形態でカメラモジュールの外部に伝播されれば、カメラモジュールの周辺に配置される他の電子機器に電磁干渉（ＥｌｅｃｔｒｏＭａｇｎｅｔｉｃ  Ｉｎｔｅｒｆｅｒｅｎｃｅ、ＥＭＩ）を引き起こして前記他の電子機器の性能を低下させることがある。
【００４６】
反対に、カメラモジュールの周辺に配置される他の電子機器で発生するノイズがカメラモジュールの内部に伝播されれば、カメラモジュールの内部の基板部４００に電磁干渉を引き起こし、カメラモジュールの画質低下などの性能低下が発生することがある。
【００４７】
したがって、カメラモジュール周辺の他の電子機器で発生するノイズがカメラモジュールの内部の基板部４００に伝播される場合、電磁干渉によってカメラモジュールの電磁適合性（ＥｌｅｃｔｒｏＭａｇｎｅｔｉｃ  Ｃｏｍｐａｔｉｂｉｌｉｔｙ、ＥＭＣ）を低下させることがある。
【００４８】
反対に、基板部４００で発生するノイズがカメラモジュールの外部に伝播される場合、カメラモジュール周辺の他の電子機器の電磁適合性を低下させることがある。
【００４９】
このような電磁干渉を抑制するために、カメラモジュールのリアボディー３００の内部に配置される基板部４００はカメラモジュールの外部から電磁的に遮蔽する必要がある。すなわち、カメラモジュールには基板部４００又はこの部で発生する電磁気ノイズを遮蔽する遮蔽手段が必要である。
【００５０】
このために、実施例において、導電性素材に備えられ、基板部４００を取り囲むシールド部材１０００はノイズ遮蔽手段となることができる。また、基板部４００を収容するリアボディー３００とリアボディー３００に結合されるフロントボディー２００は導電性素材から構成され、基板部４００の接地手段として使用されてノイズ遮蔽手段になることができる。
【００５１】
しかし、図４を参照すると、基板部４００に連結されるケーブル５００が配置される部分には隙間が発生することがあり、このような隙間を通してノイズは電磁波の形態で基板部４００から外部に又はその反対に伝播されることがあり、また、ノイズはケーブル５００を介して伝播されることもある。このように伝播されるノイズはカメラモジュール又はカメラモジュール周辺の電子機器の電磁適合性を害することがある。
【００５２】
したがって、実施例において、ケーブル５００が配置される部分に電磁気ノイズ遮蔽のために第１遮蔽部７００と第２遮蔽部９００を備えることができる。一方、図４及び図５では第１遮蔽部７００と第２遮蔽部９００が他の構成要素と重なるように示されているが、第１遮蔽部７００と第２遮蔽部９００が変形可能であり、重なるように示されたことは第１遮蔽部７００と第２遮蔽部９００の原形を示すためである。
【００５３】
第１遮蔽部７００は金属などの導電性素材から構成され、第２コネクター６２０と第１突出部３１０の段差部の間に配置されることができる。第１遮蔽部７００は導電性素材から構成されるので、基板部４００又はカメラモジュールの外部から電磁波の形態で伝播されるノイズを吸収することができる。
【００５４】
ここで、前述したように、カメラモジュールの内部から外部にあるいはその反対に伝播されるノイズはケーブル５００が配置される部分の隙間又はケーブル５００を介して伝播されることがあるので、第１遮蔽部７００は前記ケーブル５００に隣接して配置されることができる。
【００５５】
一方、前記リアボディー３００は金属などの導電性素材から構成され、前記第１遮蔽部７００は前記リアボディー３００と電気的に連結されることができる。
【００５６】
前記リアボディー３００は、耐久性を高めるために、外壁と内壁の少なくとも一部に非導電性素材の塗布物質で塗装されることができる。実施例において、リアボディー３００の内壁のうち第１遮蔽部７００と接触する部位でリアボディー３００に塗装されなくてもよい。他の実施例において、リアボディー３００の内壁のうち第１遮蔽部接触部位に導電性素材の塗布物質で塗装されることができる。
【００５７】
このような構造により、第１遮蔽部７００とリアボディー３００が電気的に連結され、リアボディー３００は接地手段として使われるので、第１遮蔽部７００に吸収されるノイズはリアボディー３００に伝播され、接地によって消滅することができる。
【００５８】
一方、図３及び図５に示したように、前記第１遮蔽部７００はリング形に形成され、前記ケーブル５００の外周面を取り囲むように構成されることができる。このような構造により、前記ケーブル５００が配置される部位に沿って伝播されるノイズは効果的に第１遮蔽部７００に吸収されることができる。
【００５９】
前記第１遮蔽部７００は例えばワッシャから構成されることができる。ここで、前記ワッシャは平ワッシャ、スプリングワッシャ、ワッシャの内周面又は外周面に歯部が形成される歯付きワッシャ、図５に示したように一面に突出する皿形ワッシャその他の多様な種類のものを使うことができる。
【００６０】
第２遮蔽部９００は金属などの導電性素材から構成され、前記第１突出部３１０と前記ホルダー８００の間に配置されることができる。図３に示したように、前記リアボディー３００の後方部には前記ケーブル５００が貫通する第１突出部３１０が形成されることができる。前記第１突出部３１０にはケーブル５００が挿入される貫通部が形成され、前記貫通部の一部に第２遮蔽部９００が配置されることができる。
【００６１】
すなわち、前記リアボディー３００の後方部にケーブル５００が貫通する第１突出部３１０が形成され、前記第１突出部３１０のケーブル５００が貫通する貫通部の一部に装着溝３１１が形成され、前記装着溝３１１に前記第２遮蔽部９００が配置されることができる。
【００６２】
前記ホルダー８００は前記装着溝３１１に挿入される第２突出部８１０を含み、前記ホルダー８００が前記第１突出部３１０に結合されれば、前記第２突出部８１０は前記装着溝３１１に挿入されることができる。前記ホルダー８００が前記第１突出部３１０に結合されれば、前記第２遮蔽部９００は、前記装着溝３１１、前記第２突出部８１０及び前記ケーブル５００がなす空間に配置されることができる。
【００６３】
ここで、前述したように、カメラモジュールの内部から外部に、あるいはその反対に伝播されるノイズはケーブル５００が配置される部分の隙間又はケーブル５００を介して伝播されることがあるので、第２遮蔽部９００は前記ケーブル５００に隣接して配置されることができる。
【００６４】
例えば、図５に示したように、前記第２遮蔽部９００はリング形に形成され、前記ケーブル５００の外周面を取り囲むように構成されることができる。このような構造により、前記ケーブル５００が配置される部位に沿って伝播されるノイズは効果的に第２遮蔽部９００に吸収されることができる。
【００６５】
第２遮蔽部９００は導電性素材から構成されるので、基板部４００又はカメラモジュールの外部から電磁波の形態で伝播されるノイズを吸収することができる。
【００６６】
また、前記第２遮蔽部９００は導電性素材から構成される前記リアボディー３００と電気的に連結されることができる。すなわち、前記第１突出部３１０と前記第２遮蔽部９００は電気的に連結されることができる。このような電気的連結方式は前述した第１遮蔽部７００とリアボディー３００の電気的連結方式と同一又は類似である。
【００６７】
前記第２遮蔽部９００とリアボディー３００が電気的に連結され、リアボディー３００は接地手段として使われるので、第２遮蔽部９００に吸収されるノイズはリアボディー３００に伝播されて接地によって消滅することができる。
【００６８】
一方、前記第２遮蔽部９００は前記リアボディー３００の前記ケーブル５００の貫通部位をシーリング（ｓｅａｌｉｎｇ）する役割をすることができる。シーリングのために、前記第２遮蔽部９００は光軸方向にシーリングに十分な幅を有するように形成されることができる。
【００６９】
前記第２遮蔽部９００はノイズ遮蔽の役割とともに、ケーブル５００の貫通部位の隙間を通してカメラモジュールの内部に水分、ほこりその他の異物が流入することを防止するシーリング部材の役割をすることができる。
【００７０】
前記第２遮蔽部９００は、ノイズ遮蔽及びシーリングのために、例えばアルミニウム、銅（ｃｏｐｐｅｒ）又はこれらの中で少なくとも一つを含む素材から構成されることが適切であり得る。
【００７１】
前述したように、ケーブル５００の貫通部位に光軸方向に第１遮蔽部材７００と第２遮蔽部材９００を一定の間隔で配置することにより、前記基板部４００又は外部で発生する電磁気ノイズを効果的に遮蔽することができる。
【００７２】
実施例において、ケーブル５００が配置される部位の近くに第１遮蔽部７００と第２遮蔽部９００を配置することにより、ケーブル５００が配置される部位を介して伝播される電磁気ノイズを効果的に遮蔽し、カメラモジュール又はカメラモジュール周辺の電子機器の電磁適合性を効果的に向上させることができる。
【００７３】
図６は一実施例による基板部４００を示した図である。図７は図６からシールド部材１０００を除去した図である。図８は図７の背面斜視図である。実施例による基板部４００は、第１基板４１０、第２基板４２０、第３基板４３０、連結部４４０、離隔部材４５０及びシールド部材１０００を含むことができる。
【００７４】
前記第１基板４１０は前記レンズ部１００と向き合うように配置されることができる。前記第３基板４３０は前記第１基板４１０から光軸方向に離隔して配置されることができる。前記第２基板４２０は前記第１基板４１０と前記第３基板４３０の間に、かつ前記第１基板４１０と前記第３基板４３０からそれぞれ離隔するように配置されることができる。
【００７５】
前記第１基板４１０は前記レンズ部１００と対向して前記レンズ部１００に近くに配置されることができ、前記レンズ部１００と向き合う面、すなわち前面にイメージセンサー４１１が装着されることができ、その他の各種の回路素子などが備えられる電磁気回路が形成されることができる。
【００７６】
レンズ部１００を介して入射する光を前記イメージセンサー４１１でセンシングし、前記第１基板４１０はセンシングされたイメージを電気的信号に変換して外部のイメージ保存装置又はイメージ再生装置に伝送する役割をすることができる。ただ、センシングされたイメージを電気的信号に変換することは他の基板でも行うことができる。
【００７７】
前記第２基板４２０は前記第１基板４１０と第３基板４３０の間に配置され、前記第１基板４１０及び前記第３基板４３０と電気的に連結されて電磁気回路をなすことができる。
【００７８】
前記第２基板４２０は前記第１基板４１０に必要な電力を供給する電気的通路の役割をすることができ、前記第１基板４１０から伝送されるセンシングされたイメージに対する電気的信号を外部のイメージ保存装置又はイメージ再生装置に伝達する役割をすることができる。
【００７９】
例えば、前記第２基板４２０は第１基板４１０から伝送されるセンシングされたイメージを電気的信号に変換して外部のイメージ保存装置又はイメージ再生装置に伝送するか、あるいは第３基板４３０から入力される電力を整流して第１基板４１０に伝送する役割をすることができる。
【００８０】
すなわち、前記第２基板４２０は第１基板４１０と第３基板４３０の間に配置され、第１基板４１０と第３基板４３０の役割を部分的に分担して行うこともできる。
【００８１】
前記第３基板４３０は前記第２基板４２０後方に配置され、前記第２基板４２０と電気的に連結されて電磁気回路をなすことができる。前述したように、第３基板４３０はコネクター部６００及びケーブル５００と電気的に連結されることができる。
【００８２】
第３基板４３０は、主に前記カメラモジュールの作動に必要な電力を外部から受けて前記第１基板４１０及び第２基板４２０に伝送し、前記第１基板４１０及び第２基板４２０から伝送されるセンシングされたイメージに対する電気的信号を外部のイメージ保存装置又はイメージ再生装置に伝達する役割をすることができる。
【００８３】
したがって、第３基板４３０には、カメラモジュールの作動に必要な適切な電圧及び電流を有する電力を供給するためのコンデンサー、整流器、変圧器などの素子が装着されることもできる。
【００８４】
また、第３基板４３０には、外部のイメージ保存装置、イメージ再生装置、カメラモジュール制御装置などとの電気的連結のために、前述したようにコネクター部６００と電気的に連結されることができる。すなわち、図８に示したように、第３基板４３０にはコネクター部６００の第１コネクター６１０が結合されることができる。
【００８５】
連結部４４０は前記基板を互いに電気的に連結し、柔軟な素材からなることができる。すなわち、前記連結部４４０は前記第１基板４１０、第２基板４２０及び第３基板４３０を電気的に連結し、よって前記基板の数より一つ少ない数で備えられることができる。実施例では全部で三つの基板が備えられるので、前記連結部４４０は、第１基板４１０と第２基板４２０を連結するものと、第２基板４２０と第３基板４３０を連結するものの二つが備えられることができる。
【００８６】
実施例ではそれぞれの基板を互いに連結する連結部４４０が各基板の側面に一つずつ備えられたが、これに限られず、各基板の回路構造、カメラモジュールの全体構造を考慮して連結部４４０の数及び配置位置を選択することができる。
【００８７】
連結部４４０は、各基板との結合作業の容易性、カメラモジュールの外部から加わる衝撃や振動に破損されないように、このような衝撃や振動を吸収する必要がある点を考慮すれば、柔軟な素材から形成することが適切である。したがって、連結部４４０はフレキシブル回路基板から形成されることができる。
【００８８】
ただ、これに限られず、衝撃や振動に強いものであれば堅固な素材を使うこともでき、電線束を使って連結部４４０を形成することもできる。
【００８９】
また、連結部４４０と各基板の結合のために、半田付け、電気伝導性接着剤による接着方式などを用いることができる。他の実施例において、前記連結部４４０は前記第１基板４１０ないし第３基板４３０との積層によって一体に形成されることもできる。このような連結部４４０は各基板を電気的に連結するＢ２Ｂ（ｂｏａｒｄ  ｔｏ  ｂｏａｒｄ）コネクターの役割をすることができる。
【００９０】
離隔部材４５０は、図７に示したように、前記第１基板４１０、第２基板４２０及び第３基板４３０の間を設定間隔で互いに離隔させる役割をすることができる。前記離隔部材４５０は前記基板と、例えばネジ結合方式で結合されることができ、各基板において素子又は回路が配置されていない部位に結合されることができる。
【００９１】
離隔部材４５０は適切な数が選択されることができるが、各基板の離隔状態を安定的で堅固に維持するために、少なくとも二つ配置されることが適切であり得る。
【００９２】
シールド部材１０００は、前述したように、前記基板部４００を取り囲むように構成されることができ、前記基板部４００が前記リアボディー３００の内壁にぶつかって破損されることを防止し、導電性素材から構成され、前記基板部４００又は外部で発生する電磁気ノイズを遮蔽する役割をすることができる。
【００９３】
図７及び図８を参照すると、基板部４００の構成を簡素化し、基板部４００に素子又は回路を形成する空間を確保するために、前記離隔部材４５０を結合する締結ネジ４６０に前記シールド部材１０００をともに結合して前記基板部４００にシールド部材１０００を配置することが適切であり得る。
【００９４】
前記シールド部材１０００には突出支持部１１００が形成されることができる。前記突出支持部１１００は前記シールド部材１０００とリアボディー３００の内壁を互いに離隔させることで、基板部４００がリアボディー３００の内壁にぶつかることを防止することができる。ここで、突出支持部１１００は弾性変形可能であるので、リアボディー３００の内部にシールド部材１０００がぶつかる場合にも基板部４００に加わる衝撃を緩和することができる効果がある。
【００９５】
実施例に関連して前述したように幾つかのみを記述したが、その他にも多様な形態の実施が可能である。前述した実施例による技術的内容は互いに両立することができない技術ではない限り、多様な形態に組み合わせられることができ、これによって新しい実施形態に具現されることもできる。
【産業上の利用可能性】
【００９６】
実施例において、ケーブルが配置される部位の近くに第１遮蔽部と第２遮蔽部を配置することにより、ケーブルが配置される部位を介して伝播される電磁気ノイズを効果的に遮蔽し、カメラモジュール又はカメラモジュール周辺の電子機器の電磁適合性を効果的に向上させることができる。
【図１】
2020500450.tif 000003
【図２】
2020500450.tif 000004
【図３】
2020500450.tif 000005
【図４】
2020500450.tif 000006
【図５】
2020500450.tif 000007
【図６】
2020500450.tif 000008
【図７】
2020500450.tif 000009
【図８】
2020500450.tif 000010
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
レンズ部と、
前記レンズ部を収容するフロントボディー（ｆｒｏｎｔ  ｂｏｄｙ）と、
前記フロントボディーと結合されるリアボディー（ｒｅａｒ  ｂｏｄｙ）と、
前記リアボディーの内部に収容され、複数のプリント基板を含む基板部と、
前記基板部と電気的に連結されるケーブルと、
前記リアボディーの内部に配置され、前記ケーブルと前記基板部を連結するコネクター部と、
前記リアボディーと前記コネクター部の間に配置され、導電性素材から構成される第１遮蔽部と、
を含み、
前記リアボディーの内壁は前記第１遮蔽部と接触する第１導電性部分を含む、カメラモジュール。
【請求項２】
前記コネクター部は、
前記基板部と結合される第１コネクターと、
一側が前記第１コネクターと結合され、他側に前記第１遮蔽部が結合される第２コネクターと、
を含む、請求項１に記載のカメラモジュール。
【請求項３】
前記第１遮蔽部はリング形に形成され、前記ケーブルの外周面を取り囲むように構成される、請求項１又は２に記載のカメラモジュール。
【請求項４】
前記第１遮蔽部は前記リアボディーの内壁の前記第１導電性部分に接地される、請求項１〜３のいずれか一項に記載のカメラモジュール。
【請求項５】
前記リアボディーと結合され、前記ケーブルが貫通するホルダーと、
導電性素材から構成され、前記リアボディーと前記ホルダーの間に配置され、前記基板部又は外部で発生する電磁気ノイズを遮蔽する第２遮蔽部とをさらに含む、請求項１〜４のいずれか一項に記載のカメラモジュール。
【請求項６】
前記リアボディーは前記ケーブルが貫通する第１突出部が形成され、
前記ホルダーは前記第１突出部に結合され、
前記第２遮蔽部は前記第１突出部と前記ホルダーの間に配置される、請求項５に記載のカメラモジュール。
【請求項７】
前記第２遮蔽部は前記第１突出部に形成される装着溝に配置される、請求項６に記載のカメラモジュール。
【請求項８】
前記ホルダーは前記装着溝に挿入される第２突出部を含み、
前記第２遮蔽部は前記装着溝、前記第２突出部及び前記ケーブルがなす空間に配置される、請求項７に記載のカメラモジュール。
【請求項９】
前記基板部は、
前記レンズ部と向き合うように配置される第１基板と、
前記第１基板から光軸方向に離隔して配置される第３基板と、
前記第１基板と前記第３基板の間に、前記第１基板と前記第３基板からそれぞれ離隔するように配置される第２基板と、
を含む、請求項１〜８のいずれか一項に記載のカメラモジュール。
【請求項１０】
前記基板部を取り囲むように構成されるシールド部材をさらに含む、請求項１〜９のいずれか一項に記載のカメラモジュール。
【請求項１１】
前記第２遮蔽部は前記リアボディーの前記ケーブル貫通部位をシール（ｓｅａｌｉｎｇ）する、請求項５に記載のカメラモジュール。
【請求項１２】
前記第２遮蔽部はリング状に形成されて前記ケーブルの外周面を取り囲むように構成される、請求項１１に記載のカメラモジュール。
【請求項１３】
前記第２遮蔽部は前記リアボディーと電気的に連結される、請求項５に記載のカメラモジュール。
【請求項１４】
前記コネクター部は前記第３基板と電気的に連結される、請求項９に記載のカメラモジュール。
【請求項１５】
前記リアボディーの内壁は前記第２遮蔽部と接触する第２導電性部分を含む、請求項５に記載のカメラモジュール。
【国際調査報告】
2020500450.tif 000011
2020500450.tif 000012
2020500450.tif 000013
2020500450.tif 000014